(57)【要約】機器のユーザが、その機器又は別の無線情報機器に表示された可能な項目のリストから項目を選択することによって基準を定義する；その機器がユーザの定義した基準を満たしたとき、機器に自動的にユーザの定義したメッセージをユーザの定義した連絡先に送信させることによって、その機器の動作が自動的に変更される。
2005516550.tif 000002
【特許請求の範囲】
【請求項１】
無線情報機器の動作を自動的に変更する方法であって、
（ａ）前記機器に表示された可能な項目のリストから項目を選択することによって、ユーザが１つ以上の基準を定義するのを可能とするステップと、
（ｂ）前記機器が前記ユーザの定義した基準を満たしたときに、前記機器にユーザが定義したメッセージをユーザの定義した連絡先に自動的に送信させることによって、前記機器の動作を変更するステップと、を備えることを特徴とする方法。
【請求項２】
前記基準が位置を含み、前記リストが位置のリストであることを特徴とする請求項１に記載の方法。
【請求項３】
前記機器が、その位置を、
（ａ）グローバル又は絶対基準座標系位置検出システム、
（ｂ）ローカル又は相対基準座標系位置検出システム、
の少なくともいずれかを用いて決定する能力を有することを特徴とする請求項２に記載の方法。
【請求項４】
前記位置のリストが論理的位置を含むことを特徴とする請求項２に記載の方法。
【請求項５】
前記基準が、前記機器の連絡先アプリケーション又はリスト内のエンティティに関連していることを特徴とする請求項１に記載の方法。
【請求項６】
前記基準が、前記メッセージを送信するために起こる必要があるトリガイベントを含むことを特徴とする請求項１に記載の方法。
【請求項７】
前記基準が、前記メッセージを送信するために前記トリガイベントがその間に起こる必要がある有効期間を含むことを特徴とする請求項６に記載の方法。
【請求項８】
前記ユーザが、その動作が変更されるべき前記機器とは異なる第１の無線情報機器に表示された可能な項目のリストから項目を選択することによって前記基準を定義し、該基準がその動作が変更されるべき前記機器に送信されて、前記第１の機器から受信した前記基準を満たしたときに、ユーザが定義したメッセージをユーザが定義した連絡先に自動的に送信することによって、その動作を変更することを特徴とする請求項１に記載の方法。
【請求項９】
前記動作を変更するステップが、前記機器のプロファイルを変更することを含むことを特徴とする請求項１に記載の方法。
【請求項１０】
前記基準が、紛失した又は盗まれた機器が、自動的にその機器の位置をメッセージと共にユーザが定義した機器に送信するのを可能とすることを特徴とする請求項１に記載の方法。
【請求項１１】
動作を自動的に変更できる無線情報機器であって、
（ａ）前記機器に表示された可能な項目のリストから選択することによって、ユーザが１つ以上の基準を定義することができ、
（ｂ）前記ユーザが定義した基準が満たされたときに、ユーザが定義したメッセージをユーザが定義した連絡先に自動的に送信することにより、その動作を変更する、ようにプログラムされたことを特徴とする無線情報機器。
【請求項１２】
前記基準が位置を含み、前記リストが位置のリストであることを特徴とする請求項１１に記載の無線情報機器。
【請求項１３】
（ａ）グローバル又は絶対基準座標系位置検出システム、
（ｂ）ローカル又は相対基準座標系位置検出システム、
の少なくともいずれかを用いて、その位置を決定する能力を有することを特徴とする請求項１１に記載の無線情報機器。
【請求項１４】
前記位置のリストが論理的位置を含むことを特徴とする請求項１２に記載の無線情報機器。
【請求項１５】
前記基準が、前記機器の連絡先アプリケーション又はリスト内のエンティティに関連していることを特徴とする請求項１１に記載の無線情報機器。
【請求項１６】
前記基準が、前記メッセージを送信するために起こる必要があるトリガイベントを含むことを特徴とする請求項１１に記載の無線情報機器。
【請求項１７】
前記基準が、前記メッセージを送信するために前記トリガイベントがその間に起こる必要がある有効期間を含むことを特徴とする請求項１６に記載の無線情報機器。
【請求項１８】
前記ユーザが、その動作が変更されるべき前記機器とは異なる第１の無線情報機器に表示された可能な項目のリストから項目を選択することによって前記基準を定義し、該基準がその動作が変更されるべき前記機器に送信されて、前記第１の機器から受信した前記基準を満たしたときに、ユーザが定義したメッセージをユーザが定義した連絡先に自動的に送信することによって、その動作を変更することを特徴とする請求項１１に記載の無線情報機器。
【請求項１９】
変更される動作が、機器の呼び出しプロファイルであることを特徴とする請求項１１に記載の無線情報機器。
【請求項２０】
前記基準が、紛失した又は盗まれた機器が、自動的にその機器の位置をメッセージと共にユーザが定義した機器に送信するのを可能とすることを特徴とする請求項１１に記載の無線情報機器。
【請求項２１】
無線情報機器上で実行されたときに、該機器が請求項１から１０のいずれか１項に記載された方法を実現するのを可能とするコンピュータソフトウエア。
【発明の詳細な説明】
【技術分野】
【０００１】
本発明は、無線情報機器の動作を自動的に変更する方法に関する。本明細書で使用される「無線情報機器」という用語は、一方向又は双方向の通信能力を有し、無線電話、スマートフォン、コミュニケータ、パーソナルコンピュータ、コンピュータ及び特定用途向け装置に限定されない、あらゆる種類の装置をカバーするものと広く解釈されるべきである。これには、ＧＳＭ、ＵＭＴＳ移動無線、ブルートゥース（登録商標）、インターネットなどのようなあらゆる種類のネットワークを介して、あらゆる方法で通信することが可能な装置が含まれる。
【背景技術】
【０００２】
近年、無線情報機器、特に移動電話に、固定の装置を用いて複製できない機能を持たせることに大きな努力がなされてきた。無線情報機器のユニークな特徴の一つは、その位置が変更されることである；その位置が変更したときに、移動電話の動作を変更するようにすることに多くの革新が傾注されてきた：例えば、ノキア（Nokia）社の国際出願  ＰＣＴ／ＵＳ０２／１８６７１号を参照すると、その位置に応じて移動電話の機能（例えば、プロファイル）を調整することが記載されている。これは、例えば、劇場内にいる場合、自動的に呼び出し音が鳴らないように移動電話の動作を変更することや、飛行機などによって移動するときに、ＲＦ機能をオフにすることを可能とする。
【特許文献１】国際出願ＰＣＴ／ＵＳ０２／１８６７１号
【発明の開示】
【課題を解決するための手段】
【０００３】
本発明の第１の態様では、無線情報機器の動作を自動的に変更する方法であって、
（ａ）前記機器に表示された可能な項目のリストから項目を選択することによって、ユーザが１つ以上の基準を定義するのを可能とするステップと、
（ｂ）前記機器が前記ユーザの定義した基準を満たしたときに、前記機器にユーザが定義したメッセージをユーザの定義した連絡先に自動的に送信させることによって、前記機器の動作を変更するステップと、を備える方法が提供される。
【０００４】
このため、本発明は、特定のユーザが定義した基準に一致した場合、メッセージが自動的に送信されるのを可能とする。これの有用性は、基準が位置を含み、リストが位置のリストであるようなシナリオで最適に示される。そしてユーザは、インターネットのＵＲＬのリストで「ブックマーク」を選択するのとほぼ同様に、所与の位置を基準として選択できる。このため、我々はこれを「位置ブックマーク」の選択と呼ぶ。ここで、ローラが会社から家へ列車で向かっていると想定する。彼女は以前に彼女の無線情報機器に、家へ帰る途中にあるコルチェスターの町に関連して「位置ブックマーク」を設定している。これは彼女が論理位置「コルチェスター」を、従来の位置検出手法−例えば、ＧＰＳやＷＧＳ８４標準座標でのユーザの入力など、によって確立された特定の地理的位置（及びその位置の周囲の予め定義された地域）と共に定義することによって行われ得る。また、彼女は以前に彼女の機器を、機器が論理位置「コルチェスター」にあると思われる（従来の位置検出手法を用いて）ときに、「現在コルチェスターを通過中」というＳＭＳテキストメッセージを彼女の夫マックスに自動的に送信するようにプログラムしている。そしてマックスは、次の駅から彼女を拾うために出発すべきだとわかる。
【０００５】
メッセージの送信を開始できる可能な基準のリストに論理位置コルチェスターが存在するので、論理位置コルチェスターに居ることを、機器のプロファイル（例えば、呼び出し動作）の変更、自動的に全ての呼をボイスメールに転送する、新たな状態「会社から家に帰宅」を反映させるべく彼女の所在情報を更新するなどのような、他の動作と関連付けるのはローラにとって非常に簡単である。これは単純にリンクされた一連のメニューリスト−例えば、主要な基準を表示する第１のリスト（会社、家、ユーザが名づけた場所等の様々な論理位置のリストのような）と、第１の基準に一致した場合に起こさせる可能な動作（例えば、ユーザの定義した連絡先にメッセージを送信する、ボイスメールに呼を転送する、ユーザの定義した方法で所在情報を更新する、サイレントモードにするなど）のメニューを示すリンクされたリストとを通じて行われ得る。
【０００６】
位置は、一般的にはＧＰＳのようなグローバル又は絶対基準座標系位置検出システムや到着時間システムだけでなく、短距離ＲＦ送信器（例えば、ブルートゥース（登録商標）のポッド）によって設定され得るようなローカル又は相対基準座標系位置検出システムで決定されてもよい。このため、論理位置「家」を家にあるユニークな短距離ＲＦ送信器に関連付けることができる。そして、例えば、論理位置「家」に到着したときに、学童の働いている母親にＳＭＳ（「今帰ったよ」）を送信するよう設定された機器を学童に持たせることもできる。
【０００７】
また、基準は機器の連絡先アプリケーションやリスト内のエンティティに関連していてもよい。このため、予め定められた連絡先の動作又は所在情報などが特定の基準と一致した場合、該連絡先にＳＭＳを自動的に送信するように機器が設定されてもよい：例えば、へレンが彼女の機器を、彼女の夫クリスが彼の所在データを「忙しい」から変更した場合に、ＳＭＳメッセージ（例えば、「今夜の映画の券を買って」）をクリスに自動的に送信するように設定するシナリオが考えられる。
【０００８】
これは、メッセージを送信するために起こる必要があるトリガイベントが基準に含まれる、より一般的な場合の例でもある。
【０００９】
また、基準は、メッセージを送信するためにトリガイベントが起こる必要のある有効期間を含んでいてもよい。例えば、ヘレンがその時間の後ではいずれにせよクリスがチケットを買うには遅すぎるのを知っているなら、クリスが彼の所在情報の設定をその日の午後７時前に変更した場合にだけ、ヘレンからクリスへのＳＭＳが発生するようにしてもよい。
【００１０】
基準を共有すること及び送信することも可能である：ユーザは、動作が変更されるべき機器とは異なる第１の無線情報機器に表示された可能な項目のリストから１つの項目を選択することによって基準を定義する；そしてその基準は動作が変更されるべき機器に送信され、その機器は第１の機器から受信した基準を満たしたときにその動作を変更する。これはユーザが定義したメッセージをユーザが定義した連絡先に送信することによって自動的に行われる。例えば、ユーザが彼の機器を紛失した場合、彼は機器にその位置をユーザがアクセス可能な装置に送信して自体を動作不能とする基準を定義することができる；そして彼はこの指示を彼の紛失した機器に送信し、その機器はその位置をユーザに返送した後に自体を動作不能とすることで指示に迅速に従う。
【００１１】
第２の態様では、その動作を自動的に変更できる無線情報機器であって、
（ａ）前記機器に表示された可能な項目のリストから選択することによって、ユーザが１つ以上の基準を定義することができ、
（ｂ）前記ユーザが定義した基準が満たされたときに、ユーザが定義したメッセージをユーザが定義した連絡先に自動的に送信することにより、その動作を変更する、ようにプログラムされた無線情報機器が提供される。
【００１２】
第３の態様では、無線情報機器上で実行されたときに、該機器に第１の態様の方法を実施させることができるコンピュータソフトウエアが提供される。
【発明を実施するための最良の形態】
【００１３】
添付図面を参照して本発明について説明する。
【００１４】
本発明は主に、「位置ブックマーク」と呼ばれるシステムとして実現される。このシステムでは、既知の名前が付けられた位置（例えば、目印や目標）が無線情報機器のユーザによって何らかのトリガイベント及び何らかの動作と関連付けられる。トリガイベントが起こったとき、機器によって動作が自動的に実行される。この動作にはメッセージの送信が含まれるが、他の種の動作も可能である。
【００１５】
｛目印，トリガ，動作｝のような表記法を用いた例は以下のようになるであろう：
｛事務所，出る，サリーへのＳＭＳ：「帰宅途中」｝，
｛精神科医，到着，遠隔ユーザからの全ての位置要求を拒否｝，
｛ドライクリーニング店，近づく，リマインダー表示：「クリーニング済の品を受け取る」｝
【００１６】
これらの関連性が「位置ブックマーク」である。これらは基準を定義するメニューリストから選択されたものとして捉えられる：図１に示されたように、どこで（場所）、いつ（タイミング）及び何を（動作）を含んでいる。「どこで」がハイライト表示されている図１のように、ユーザが基準として「どこで」を選択すると、機器は利用可能な「どこで」の基準を、図２に示されているように表示する。これらには、家、会社、マックスのカフェ、ユーザ定義及び紛失が含まれている。ユーザが論理項目として家を選択すると、図３の画面が表示され、「いつ」の基準；この場合には：到着、出発、時間、近づく及び今すぐが表示される。ユーザは到着オプションを選択し、機器は図４に示されているように、「何」の基準へと処理を進める。ユーザは「メッセージ」オプションを選択し、これはメッセージ送信アプリケーションを開かせ、ユーザがメッセージを書いてアドレス指定するのを可能とするが、このメッセージは、ユーザが家に到着したときにだけ機器によって自動的に送信される。これは先に述べたシナリオ、すなわち、機器を有する学童が論理位置「家」に到着したときに、彼女の働いている母親にＳＭＳ（「今帰ったよ」）を機器が送信するというシナリオを可能とする。
【００１７】
ユーザが彼の機器を紛失した場合、彼は本発明に係る機能を備えた別の機器を用いて上記のメニューを通じて、シーケンス：
紛失！（これは実際には空又はゼロのフィールドである）
今すぐ！
場所はどこ？（これはユーザに彼が使用している新たな機器の電話番号を知らせるよう促す）
を選択するであろう。
【００１８】
これが彼の紛失した機器によって受信されたとき、該機器は自動的にユーザの新たな機器に（上記で説明した新たな機器の電話番号を用いて）その位置を通知して、自体を動作不能にする。
【００１９】
どこで／いつ／何を、の構造は、簡単かつ直感的に理解できる方法で、機器上で極めて複雑なプログラムをユーザが設定するのを可能とする。
【００２０】
この手法は、目印がユーザに分かりやすい名前と地理的位置又は領域とを関連付けて格納されていることを前提としている。領域であれば、２Ｄ（水平面）領域として又は３Ｄ（水平面及び垂直面）領域としてのいずれかで指定され得る。加えて、領域は各平面で矩形（より一般的には多角形）として又は各平面で円形（より一般的には楕円）としてのいずれかで指定され得る。
【００２１】
位置ブックマークは、統合的ＯＳコンポーネントとしてではなく電話のＯＳの最上層のアプリケーションとして実現されてもよい。英国のロンドンにあるシンビアン  リミテッドから提供されるシンビアンＯＳ用に現在提案されている位置及び目印ＡＰＩは、そのようなアプリケーションが形成されるのを可能とし、これによりそのアプリケーションは、ユーザが局地的かつ遠隔の目印データベースからの目印をトリガイベント及び動作と関連付けるのを可能とするであろう。そのアプリケーションは、発生するトリガイベントをモニタするのに位置及び目印ＡＰＩを使用してもよく、ユーザの指定した動作を実行するのにＯＳの他のＡＰＩ（例えば、メッセージ送信又は電話用ＡＰＩ）を使用してもよい。
【００２２】
そのアプリケーションの基準的な実現には、以下の構成部品：
・電話のユーザが目印をトリガイベント及び動作を関連付けることによって、位置ブックマークを作成、閲覧、編集及び削除するのを可能とするＵＩ、
・ユーザが指定した位置ブックマークを保持するデータベース（又は単純なデータ構造）、
・ユーザの位置を追跡しユーザの指定したトリガイベントをチェックするモニタリングエンジン、
・トリガイベントの結果に応じて電話のＯＳがユーザの指定した動作を実行するようにインタフェースするアクションエンジン、
を必要とするであろう。
【００２３】
これは図６に示したアーキテクチャとなる。
【００２４】
加えて、目印とトリガイベントとの関連性をより洗練されたものとするために、規則エンジンがアプリケーションの一部として導入されてもよい。
【００２５】
この概念は位置ブックマークについてより多くの属性を使用することで更に拡張できる。例えば、有効期間の場合：
｛事務所，出発，月曜−金曜−１７００−０８００，ＳＭＳ−サリー−「帰宅途中」｝
｛キングスＸ，到着，全ての土曜，ＳＭＳ−フレッド−「パーティしよう！」｝
などである。
【００２６】
また、この概念は、位置ブックマークをそれら自体の権限において共有可能なエンティティとして扱うように拡張できる。ユーザは位置ブックマークを別のユーザに送信できる（おそらくＳＭＳ又はブルートゥースのような他の何らかの配信機構を介して）。受信者は閲覧でき、その後その位置ブックマークを受け入れるか拒絶できる。これは紛失した又は盗まれた機器の位置を検出するような（先に述べたような）シナリオを可能とするであろう。別のシナリオは以下のようなものであろう。クリスはサリーが週末にロンドンに来るかも知れないと聞いており、彼女が到着したら彼が彼女と会えるように通知されるのを望んでいる。彼は位置ブックマーク｛キングスＸ，到着，週末，ＳＭＳ−クリス−「パーティしよう！」｝を設定し、サリーに送る。サリーはそのメッセージを受信し、それが何を意味するかを理解し受け入れる。同様の午後にサリーの列車がキングス  クロスに到着したとき、彼女の電話は自動的にクリスのメッセージ「パーティしよう！」を送る。
【００２７】
アプリケーションはユーザが、
｛目印，トリガイベント，動作｝
タイプの関連性だけでなく、加えて
｛連絡先，トリガイベント，動作｝
タイプの生成が可能なようにより一般化されてもよい。ここで連絡先は、
・目印（例えば、自分の地方のパブ、テキサコのガソリンスタンド）又は
・人
のいずれかである。例えば、
｛フレッド，１ｋｍ以内，ＳＭＳ−フレッド−「会おうか？」｝
となる。
【００２８】
従って、どこで／いつ／何を、の構造は、図５に示されているように、誰／どこで／いつ／何を、の構造に拡張され得る。ここで重要な要素は、目印が静止したエンティティ（例えば、事務所、家、エッフェル塔）であるのに対して、人は定義上移動可能である−すなわち、彼の位置又は関連する「領域」が変化することである。
【００２９】
本質的に静的であるが、目印が単にユーザが定義したデータであることには何も意味が無く、そのためユーザによって変更される可能性がある（例えば、名前の変更、座標の変更、領域の変更）。人の位置の動的な特性のため、図６に示したモニタリングエンジンは、電話のユーザの位置だけでなく、彼又は彼女が関連性を設定した連絡先の位置を追跡する、より洗練されたエンジンに拡張される（または置き換えられる）必要があろう。これは言い換えると、ネットワーク上で個人の位置を照会する能力と考えられる。
【００３０】
この概念の重要な機能の一つは、ユーザ及び関連性で指定された他の連絡先の位置をモニタし、ユーザの指定したトリガイベントをチェックするモニタリングエンジンである。この機能はＯＳプラットフォームの機能内で有効に分離されてもよく、以降、図７に示されている「近接サーバ」と呼ぶ。
【００３１】
近接サーバは、電話で利用可能なあらゆる位置決め技術及び照会基準を利用し、ＯＳの位置ＡＰＩからの追加のカプセル化の層を提供する。近接サーバは、トリガイベントをチェックするのに必要な計算を実行し最適化する、洗練された２Ｄ及び３Ｄの地理計算エンジンを有している。近接サーバは、アプリケーションのトリガイベントを名前が付けられた目印という形であるいは地理的領域として登録し、トリガイベントが検出されたときに返事として通知を受信するためのアプリケーションのＡＰＩを提供する。
【図面の簡単な説明】
【００３２】
【図１】、
【図２】、
【図３】、
【図４】、
【図５】本発明を用いるときのユーザとのやりとりを表す図である。
【図６】、
【図７】実施形態を示すブロック図である。
【図１】
2005516550.tif 000003
【図２】
2005516550.tif 000004
【図３】
2005516550.tif 000005
【図４】
2005516550.tif 000006
【図５】
2005516550.tif 000007
【図６】
2005516550.tif 000008
【図７】
2005516550.tif 000009
【手続補正書】
【提出日】平成16年2月23日(2004.2.23)
【手続補正１】
【補正対象書類名】特許請求の範囲
【補正対象項目名】全文
【補正方法】変更
【補正の内容】
【特許請求の範囲】
【請求項１】
無線情報機器の動作を自動的に変更する方法であって、
（ａ）前記機器に表示された可能な論理位置のリストから項目を選択することによって、ユーザが論理位置を定義する１つ以上の基準を定義するのを可能とするステップと、
（ｂ）前記機器が前記ユーザの定義した基準の論理位置を満たしたときに、前記機器にユーザが定義したメッセージをユーザの定義した連絡先に自動的に送信させることによって、前記機器の動作を変更するステップと、を備えることを特徴とする方法。
【請求項２】
前記論理位置が、
仕事、家、ユーザが名前をつけた場所、紛失、の論理位置を１つ以上含んでいる表示されたメニューリストから選択されることを特徴とする請求項１に記載の方法。
【請求項３】
ユーザが、メッセージが送信されるのに必要なトリガイベントを定義する、更なる基準を定義するのを可能とするステップを更に備えることを特徴とする請求項２に記載の方法。
【請求項４】
前記トリガイベントが、
到着、出発、時間、近づく、今すぐ、のトリガイベントを１つ以上含んでいる表示されたメニューリストから選択されることによって定義されることを特徴とする請求項３に記載の方法。
【請求項５】
ユーザが、前記機器の動作を変更する補足的方法を定義するのを可能とするステップを更に備えることを特徴とする請求項３に記載の方法。
【請求項６】
前記補足的方法が、
呼をボイスメールに転送する、所在をユーザが定義した方法で更新する、サイレントモードに切り替える、又はそれ以外のプロファイルを変更する、を１つ以上含んでいる表示されたメニューリストから選択されることを特徴とする請求項５に記載の方法。
【請求項７】
前記機器が、その位置を、
（ａ）グローバル又は絶対基準座標系位置検出システム、
（ｂ）ローカル又は相対基準座標系位置検出システム、
の少なくともいずれかを用いて決定する能力を有することを特徴とする請求項１から６のいずれか１項に記載の方法。
【請求項８】
前記基準が、前記メッセージを送信するために前記トリガイベントがその間に起こる必要がある有効期間を含むことを特徴とする請求項４に記載の方法。
【請求項９】
前記ユーザが、その動作が変更されるべき前記機器とは異なる第１の無線情報機器に表示された可能な項目のリストから項目を選択することによって前記基準を定義し、該基準がその動作が変更されるべき前記機器に送信されて、前記第１の機器から受信した前記基準を満たしたときに、ユーザが定義したメッセージをユーザが定義した連絡先に自動的に送信することによって、その動作を変更することを特徴とする請求項１に記載の方法。
【請求項１０】
前記基準が、紛失した又は盗まれた機器が、自動的にその機器の位置をメッセージと共にユーザが定義した機器に送信するのを可能とすることを特徴とする請求項１に記載の方法。
【請求項１１】
動作を自動的に変更できる無線情報機器であって、
（ａ）前記機器に表示された可能な論理位置のリストから選択することによって、ユーザが論理位置を定義する１つ以上の基準を定義することができ、
（ｂ）前記ユーザが定義した基準が満たされたときに、ユーザが定義したメッセージをユーザが定義した連絡先に自動的に送信することにより、その動作を変更する、ようにプログラムされたことを特徴とする無線情報機器。
【請求項１２】
前記論理位置が、
仕事、家、ユーザが名前をつけた場所、紛失、の論理位置を１つ以上含んでいる表示されたメニューリストから選択されることを特徴とする請求項１１に記載の無線情報機器。
【請求項１３】
ユーザが、メッセージが送信されるのに必要なトリガイベントを定義する、更なる基準を定義するのを可能とするように動作可能であることを特徴とする請求項１２に記載の無線情報機器。
【請求項１４】
前記トリガイベントが、
到着、出発、時間、近づく、今すぐ、のトリガイベントを１つ以上含んでいる表示されたメニューリストから選択されることによって定義されることを特徴とする請求項１３に記載の無線情報機器。
【請求項１５】
ユーザが、前記機器の動作を変更する補足的方法を定義するのを可能とするように動作可能であることを特徴とする請求項１１に記載の無線情報機器。
【請求項１６】
前記補足的方法が、
呼をボイスメールに転送する、所在情報をユーザが定義した方法で更新する、サイレントモードに切り替える、又はそれ以外のプロファイルを変更する、を１つ以上含んでいる表示されたメニューリストから選択されることを特徴とする請求項１１に記載の無線情報機器。
【請求項１７】
その位置を、
（ａ）グローバル又は絶対基準座標系位置検出システム、
（ｂ）ローカル又は相対基準座標系位置検出システム、
の少なくともいずれかを用いて決定する能力を有することを特徴とする請求項１１に記載の無線情報機器。
【請求項１８】
前記基準が、前記メッセージを送信するために前記トリガイベントがその間に起こる必要がある有効期間を含むことを特徴とする請求項１４に記載の無線情報機器。
【請求項１９】
前記ユーザが、その動作が変更されるべき前記機器とは異なる第１の無線情報機器に表示された可能な項目のリストから項目を選択することによって前記基準を定義し、該基準がその動作が変更されるべき前記機器に送信されて、前記第１の機器から受信した前記基準を満たしたときに、ユーザが定義したメッセージをユーザが定義した連絡先に自動的に送信することによって、その動作を変更することを特徴とする請求項１１に記載の無線情報機器。
【請求項２０】
前記基準が、紛失した又は盗まれた機器が、自動的にその機器の位置をメッセージと共にユーザが定義した機器に送信するのを可能とすることを特徴とする請求項１１に記載の無線情報機器。
【請求項２１】
無線情報機器上で実行されたときに、該機器が請求項１から１０のいずれか１項に記載された方法を実施するのを可能とするコンピュータソフトウエア。
【手続補正２】
【補正対象書類名】明細書
【補正対象項目名】０００３
【補正方法】変更
【補正の内容】
【０００３】
本発明の第１の態様では、無線情報機器の動作を自動的に変更する方法であって、
（ａ）前記機器に表示された可能な論理位置のリストから項目を選択することによって、ユーザが論理位置を定義する１つ以上の基準を定義するのを可能とするステップと、
（ｂ）前記機器が前記ユーザの定義した基準の論理位置を満たしたときに、前記機器にユーザが定義したメッセージをユーザの定義した連絡先に自動的に送信させることによって、前記機器の動作を変更するステップと、を備える方法が提供される。
【手続補正３】
【補正対象書類名】明細書
【補正対象項目名】０００４
【補正方法】変更
【補正の内容】
【０００４】
このため、本発明は、特定のユーザが定義した論理位置を定義する基準に一致した場合、メッセージが自動的に送信されるのを可能とする。これの有用性は、あるシナリオで最適に示される。ユーザは、インターネットのＵＲＬのリストで「ブックマーク」を選択するのとほぼ同様に、所与の位置を基準として選択できる。このため、我々はこれを「位置ブックマーク」の選択と呼ぶ。ここで、ローラが会社から家へ列車で向かっていると想定する。彼女は以前に彼女の無線情報機器に、家へ帰る途中にあるコルチェスターの町に関連して「位置ブックマーク」を設定している。これは彼女が論理位置「コルチェスター」を、従来の位置検出手法−例えば、ＧＰＳやＷＧＳ８４標準座標でのユーザの入力など、によって確立された特定の地理的位置（及びその位置の周囲の予め定義された地域）と共に定義することによって行われ得る。また、彼女は以前に彼女の機器を、機器が論理位置「コルチェスター」にあると思われる（従来の位置検出手法を用いて）ときに、「現在コルチェスターを通過中」というＳＭＳテキストメッセージを彼女の夫マックスに自動的に送信するようにプログラムしている。そしてマックスは、次の駅から彼女を拾うために出発すべきだとわかる。
【手続補正４】
【補正対象書類名】明細書
【補正対象項目名】００１１
【補正方法】変更
【補正の内容】
【００１１】
第２の態様では、その動作を自動的に変更できる無線情報機器であって、
（ａ）前記機器に表示された可能な論理位置のリストから選択することによって、ユーザが論理位置を定義する１つ以上の基準を定義することができ、
（ｂ）前記ユーザが定義した基準が満たされたときに、ユーザが定義したメッセージをユーザが定義した連絡先に自動的に送信することにより、その動作を変更する、ようにプログラムされた無線情報機器が提供される。


【国際調査報告】
2005516550.tif 000010
2005516550.tif 000011
2005516550.tif 000012